(57)【特許請求の範囲】
【請求項１】
病院内で行われる検査業務の管理を行う検査管理システムにおいて、
検査依頼情報及び検査実施情報を保持して管理するサーバと、前記サーバに要求を行って取得した検査依頼情報及び検査実施情報を表示するクライアントとがネットワークにより接続されて構成され、
前記クライアントが取得して表示する検査依頼情報及び検査実施情報の画面は、患者の検索条件設定情報画面である第１の情報画面と、前記検索条件設定情報画面である第１の情報画面の操作に従って検索された患者をリスト表示する患者リスト情報画面である第２の情報画面と、前記患者リスト情報画面である第２の情報画面から選択された患者に対する検査依頼内容を含む患者情報画面である第３の情報画面と、前記患者に対する検査依頼内容を含む患者情報画面である第３の情報画面の患者呼び込みの操作に従って表示される前記患者に対する検査実施情報を設定する検査条件設定情報画面である第４の情報画面との４つの情報画面であり、
前記クライアントは、前記４つの情報画面の第１及び第２の２つの情報画面を対とし、第２及び第３の２つの情報画面を対とし、第３及び第４の２つの情報画面を対とした３組の情報画面を、順に、あるいは、逆に遷移させて表示画面に表示することを特徴とする検査管理システム。
【請求項２】
前記表示される対とされた２つの情報画面は、表示画面上で横方向または縦方向に並べて表示されることを特徴とする請求項１記載の検査管理システム。
【請求項３】
前記患者情報画面である第３の情報画面及び検査条件設定情報画面である第４の情報画面の２つの情報画面の対が表示されている表示画面は、画面の操作により、次の患者に対する患者情報画面である第３の情報画面及び検査条件設定情報画面である第４の情報画面の２つの情報画面の対の表示に遷移して表示されることを特徴とする請求項１または２記載の検査管理システム。
【請求項４】
前記各情報画面はタッチ操作が可能であり、情報がリストで表示される場合に、前記リストの中の選択された行及びその前後の行の表示幅を他の行より大きく表示することを特徴とする請求項１ないし３のうちいずれか１記載の検査管理システム。
【請求項５】
病院内で行われる検査業務の管理を行う検査管理システムにおける検査管理方法において、
前記検査管理システムは、検査依頼情報及び検査実施情報を保持して管理するサーバと、前記サーバに要求を行って取得した検査依頼情報及び検査実施情報を表示するクライアントとを備え、
前記クライアントは、
業務開始が指示された後に表示されるメニュー画面から検査業務の１つが選択されると検査業務画面として、患者の検索条件設定情報画面である第１の情報及び患者リスト情報画面である第２の情報画面を対として表示し、前記検索条件設定情報画面である第１の情報画面に検査条件が入力されると、前記サーバから検査を行うべき患者リストを取得して前記患者リスト情報画面である第２の情報画面内に表示し、
前記患者リスト情報画面である第２の情報画面から１人の患者が選択されると、患者リスト情報画面である第２の情報画面及び患者に対する検査依頼内容を含む患者情報画面である第３の情報画面を対として表示し、
前記検査依頼内容を含む患者情報画面である第３の情報画面の呼び込みボタンが操作されると、検査依頼内容を含む患者情報画面である第３の情報画面及び前記患者に対する検査実施情報を設定する検査条件設定情報画面である第４の情報画面を対として表示するように、前記２つの情報画面を対とした３組の情報画面を、順に、遷移させて表示し、
前記２つの情報画面を対とした情報画面が表示されている状態で、表示されている２つの情報画面を対とした情報画面の１つ前に表示されていた２つの情報画面を対とした情報画面への遷移が選択指示されると、１つ前に表示されていた２つの情報画面を対とした情報画面に逆に遷移させて、表示画面に表示することを特徴とする検査管理方法。
【請求項６】
前記対として表示される２つの情報画面は、表示画面上で横方向または縦方向に並べて表示されることを特徴とする請求項５記載の検査管理方法。
【請求項７】
前記患者情報画面である第３の情報画面及び検査条件設定情報画面である第４の情報画面の２つの情報画面の対が表示されている表示画面は、画面の操作により、次の患者に対する患者情報画面である第３の情報画面及び検査条件設定情報画面である第４の情報画面の２つの情報画面の対の表示に遷移して表示されることを特徴とする請求項５または６記載の検査管理方法。
【請求項８】
前記第１から第４の各情報画面はタッチ操作が可能であり、情報がリストで表示される場合に、前記リストの中の選択された行及びその前後の行の表示幅を他の行より大きく表示されることを特徴とする請求項５、６または７記載の検査管理方法。
【発明の詳細な説明】
【技術分野】
【０００１】
本発明は、検査管理システム及び検査管理方法に係り、特に、病院内で行われる検査業務の管理を行うことを可能にした検査管理システム及び検査管理方法に関する。
【背景技術】
【０００２】
一般に、病院内で行われる業務の管理は、医師が患者と対応しながら作成する患者の症状、医師が行った治療等を記述したカルテの情報、患者に対する投薬を指示した処方箋の情報、血液検査、レントゲン検査等を指示するオーダーの情報、保険による費用の請求のためのレセプトの情報、オーダーに対する検査結果等の情報等の各種の情報を利用して行われている。従来、これらの情報は、患者毎に紙の上に記述されて必要な業務部署に回されて利用されていた。
【０００３】
近年、前述したような医療業務の情報の管理を電子化したシステムで行うようになってきている。それらのシステムには、前述した医療業務に係る各種の情報の個々の情報だけを取り出してシステム化したもの、全ての情報を統合してシステム化した電子カルテシステム等が知られている。
【０００４】
なお、前述したような医療業務のうちの検査業務システムに関する従来技術として、例えば、特許文献１等に記載された技術が知られている。
【０００５】
特許文献１に記載された技術は、検査装置における検査パラメータの決定及び入力の効率向上と、検査結果に基づく診断時における医療情報検索の向上とを図ることができるようにしたものであり、検査依頼時に医師が入力する画面（患者基本情報と検査項目とを含む表示画面）と、ＭＲＩ等の検査室で検査技師が操作する画面（患者リスト及びパラメータ設定の表示画面）とを表示し、検査技師が患者データ及び検査パラメータを容易に取得することができるようにしたものである。
【特許文献１】特開２００２−１１７１３７号公報
【発明の開示】
【発明が解決しようとする課題】
【０００６】
通常、検査技師が患者の検査を行う手順としては、検査すべき患者の検索、患者の選択、選択した患者の検査依頼内容を含む患者に関する情報の取得、その患者に対する検査実施条件等の検査装置への設定等があるが、前述した従来技術による検査業務システムは、前述のような検査技師が行うべき手順に沿って、的確に検査技師の作業をサポートすることが困難であるという問題点を有している。
【０００７】
本発明の目的は、前述した従来技術の問題点を解決し、患者の検査を行う検査技師が行う手順に沿って的確に検査技師の作業をサポートすることができるようにした検査管理システム及び検査管理方法を提供することにある。
【課題を解決するための手段】
【０００８】
本発明によれば前記目的は、病院内で行われる検査業務の管理を行う検査管理システムにおいて、検査依頼情報及び検査実施情報を保持して管理するサーバと、前記サーバに要求を行って取得した検査依頼情報及び検査実施情報を表示するクライアントとがネットワークにより接続されて構成され、前記クライアントが取得して表示する検査依頼情報及び検査実施情報の画面は、患者の検索条件設定情報画面である第１の情報画面と、前記検索条件設定情報画面である第１の情報画面の操作に従って検索された患者をリスト表示する患者リスト情報画面である第２の情報画面と、前記患者リスト情報画面である第２の情報画面から選択された患者に対する検査依頼内容を含む患者情報画面である第３の情報画面と、前記患者に対する検査依頼内容を含む患者情報画面である第３の情報画面の患者呼び込みの操作に従って表示される前記患者に対する検査実施情報を設定する検査条件設定情報画面である第４の情報画面との４つの情報画面であり、前記クライアントは、前記４つの情報画面の第１及び第２の２つの情報画面を対とし、第２及び第３の２つの情報画面を対とし、第３及び第４の２つの情報画面を対とした３組の情報画面を、順に、あるいは、逆に遷移させて表示画面に表示することにより達成される。
【０００９】
また、前記目的は、病院内で行われる検査業務の管理を行う検査管理システムにおける検査管理方法において、前記検査管理システムは、検査依頼情報及び検査実施情報を保持して管理するサーバと、前記サーバに要求を行って取得した検査依頼情報及び検査実施情報を表示するクライアントとを備え、前記クライアントは、業務開始が指示された後に表示されるメニュー画面から検査業務の１つが選択されると検査業務画面として、患者の検索条件設定情報画面である第１の情報及び患者リスト情報画面である第２の情報画面を対として表示し、前記検索条件設定情報画面である第１の情報画面に検査条件が入力されると、前記サーバから検査を行うべき患者リストを取得して前記患者リスト情報画面である第２の情報画面内に表示し、前記患者リスト情報画面である第２の情報画面から１人の患者が選択されると、患者リスト情報画面である第２の情報画面及び患者に対する検査依頼内容を含む患者情報画面である第３の情報画面を対として表示し、前記検査依頼内容を含む患者情報画面である第３の情報画面の呼び込みボタンが操作されると、検査依頼内容を含む患者情報画面である第３の情報画面及び前記患者に対する検査実施情報を設定する検査条件設定情報画面である第４の情報画面を対として表示するように、前記２つの情報画面を対とした３組の情報画面を、順に、遷移させて表示し、前記２つの情報画面を対とした情報画面が表示されている状態で、表示されている２つの情報画面を対とした情報画面の１つ前に表示されていた２つの情報画面を対とした情報画面への遷移が選択指示されると、１つ前に表示されていた２つの情報画面を対とした情報画面に逆に遷移させて、表示画面に表示することにより達成される。
【００１０】
なお、本発明における検査とは、患者に対する処置、診察、検査結果の読影等も含むものとする。
【発明の効果】
【００１１】
本発明によれば、患者の検査を行う検査技師が行う手順に沿って的確に検査技師の作業をサポートすることができる。
【発明を実施するための最良の形態】
【００１２】
以下、本発明による検査管理システム及び検査管理方法の実施形態を図面により詳細に説明する。
【００１３】
図１は本発明の一実施形態による検査管理システムの構成を示すブロック図である。図１において、１１はオーダリングシステム、１２は検査情報システムサーバ、１３は検査情報システムクライアント、１４は検査装置、１５はネットワークである。
【００１４】
本発明の実施形態による検査管理システムは、検査部署に対して検査オーダを発行するオーダリングシステム１１と、オーダリングシステム１１から提供された検査依頼情報及び検査実施情報を保持して管理し、各検査情報システムクライアントからの要求により要求を行ったクライアントに分配する検査情報システムサーバ１２と、各種の検査のための個々の検査室において、検査情報システムサーバ１２に要求を行って分配された情報を表示し、その表示情報から検査技師が患者一覧及び検査依頼情報を確認して、検査実施のための入力を行う検査情報システムクライアント１３とが、有線または無線による病院内ＬＡＮ等のネットワーク１５に接続されて構成されている。
【００１５】
前述において、検査情報システムクライアント１３は、検査装置１４と共に検査室内に設置され、検査技師によって使用される。検査情報システムクライアント１３と検査装置１４とは、１つの検査フロアに配置されていてもよく、また、廊下、または、出入り扉を有する壁により仕切られた別々のフロアに配置されていてもよい。また、オーダリングシステム１１、検査情報システムサーバ１２、検査情報システムクライアント１３は、何れも、ＰＣ等を含む情報処理装置により構成される。
【００１６】
図２は検査情報システムクライアント１３のハードウェア構成の例を示すブロック図である。図２において、２０１はＣＰＵ、２０２は主メモリ、２０３は磁気ディスク装置、２０４は表示メモリ、２０５は表示装置、２０６はマウス、２０７はコントローラ、２０８はキーボード、２０９はスピーカ、２１０は通信制御部、２１１は共通バスである。
【００１７】
図２に示す検査情報システムクライアント１３は、検査技師が検査装置を使用して検査を行う際に、検査技師が行うべき手順に沿って、的確に検査技師の作業をサポートする画面画面を表示することができるようにしたものである。そして、この検査情報システムクライアント１３は、各構成要素の動作を制御するＣＰＵ（中央処理装置）２０１と、装置全体の制御プログラムが格納される主メモリ２０１と、プログラム等が格納された磁気ディスク装置２０３と、表示用の画像データを一時記憶する表示メモリ２０４と、この表示メモリ２０４からの画像データに基づいて画像を表示するＣＲＴ、液晶等による表示装置２０５と、表示画面上のソフトボタン等を操作するマウス２０６及びそのコントローラ２０７と、各種パラメータ設定用のキーやスイッチを備えたキーボード２０８と、スピーカ２０９と、図１に示すネットワーク１５と接続されて通信の制御を行う通信制御部２１０と、前述の各構成要素相互間を接続する共通バス１９とから構成される。表示装置２０５は、タッチパネルを備えたディスプレイとしてもよく、この場合、マウス２０６やキーボード２０８を必ずしも備えることなく操作が可能である。
【００１８】
前述の検査情報システムクライアント１３は、主メモリ２０２以外の記憶装置として、磁気ディスク装置２０３のみが接続されて構成されているとしているが、これ以外に、フロッピディスクドライブ、ＣＤ−ＲＯＭドライブ、光磁気ディスク（ＭＯ）ドライブ、ＺＩＰドライブ、ＰＤドライブ、ＤＶＤドライブなどが接続されていてもよい。
【００１９】
図３は検査情報システムクライアント１３の表示装置２０５に表示される画面の遷移状況の本発明の実施形態での基本的な考え方について説明する図、図４は検査技師の画面操作による画面遷移の動作を説明するフローチャートであり、次に、これらについて説明する。
【００２０】
本発明の実施形態で検査情報システムクライアント１３の表示装置２０５に表示される画面は、図３に示すように、検索条件表示エリアＡ、患者リスト表示エリアＢ、患者情報及びオーダ情報表示エリアＣ、検査実施情報表示エリアＤの４つの画面から構成される。従来技術の場合、最初に、検索条件表示エリアＡ、患者リスト表示エリアＢの２つの表示エリア、図３に（ａ）として示す範囲の表示エリアが示装置２０５に表示され、検査技師による画面操作により次の画面が要求された場合、次に、患者情報及びオーダ情報表示エリアＣ、検査実施情報表示エリアＤの２つの表示エリア、図３に（ｂ）として示す範囲の表示エリアが表示装置２０５に表示される。このような従来技術による表示方法は、検査技師にとって、患者リスト表示エリアＢに表示される内容と、患者情報及びオーダ情報表示エリアＣに表示される内容との関連等が判りにくいという問題がある。
【００２１】
そこで、本発明の実施形態では、最初に、従来技術の場合と同様に、検索条件表示エリアＡ、患者リスト表示エリアＢの２つの表示エリア、図３に（ｃ）として示す範囲の表示エリアを示装置２０５に表示し、検査技師による画面操作により次の画面が要求された場合、患者リスト表示エリアＢ、患者情報及びオーダ情報表示エリアＣの２つの表示エリア、図３に（ｄ）として示す範囲の表示エリアを表示装置２０５に表示し、さらに、検査技師による画面操作により次の画面が要求された場合、患者情報及びオーダ情報表示エリアＣ、検査実施情報表示エリアＤの２つの表示エリア、図３に（ｅ）として示す範囲の表示エリアを表示装置２０５に表示するようにしている。このような表示を行うことにより、隣接して配置される各表示エリアに表示される内容の関連を判り易いものとすることができる。
【００２２】
なお、前述した検索条件表示エリアＡ、患者リスト表示エリアＢ、患者情報及びオーダ情報表示エリアＣ、検査実施情報表示エリアＤのそれぞれの内容の詳細については後述する。
【００２３】
次に、図４に示すフローを参照して、検査技師の画面操作による画面遷移の動作について説明する。
【００２４】
（１）検査情報システムクライアント１３の電源投入、業務開始等が指示されると、まず、後述するようなメインメニュー画面が表示装置２０５に表示され、ここで、終了処理が検査技師等により選択されると、ここでの処理を終了する（ステップ４０１、４０２）。
【００２５】
（２）ステップ４０１で表示されているメインメニュー画面から検査業務の１つが検査技師等により選択されると、検査業務画面として、前述の検索条件表示エリアＡ、患者リスト表示エリアＢの２つの画面が表示装置２０５の表示面の左右に表示され、ここで、「メニュー画面へ」戻る処理が検査技師等により選択されると、ステップ４０１からの処理に移行する。但し、この時点では、表示装置２０５の表示面の右側の患者リスト表示エリアＢに表示されるべき患者リストの情報は表示されない状態であってもよく、システムでデフォルトとして設定されている条件に従った患者リストの情報を表示するようにしてもよい（ステップ４０３〜４０５）。
【００２６】
（３）次に、検査技師が、表示装置２０５の表示面の左側に表示されている検索条件表示エリアＡを用いて、検査条件を入力すると、この入力情報が検査情報システムサーバ１２に送信されて、検査情報システムサーバ１２で検索処理が実行され、その応答として、検査を行うべき患者のリストが送信されてきて、表示装置２０５の表示面の右側に患者リスト表示エリアＢが表示される（ステップ４０６〜４０８）。
【００２７】
（４）次に、検査技師が、表示装置２０５の表示面の右側に表示されている患者リスト表示エリアＢから１人の患者を選択すると、表示画面の横方向へのスライド処理が行われ、表示装置２０５の表示面に表示される画面が、左側に患者リスト表示エリアＢ、右側に患者情報及びオーダ情報表示エリアＣがそれぞれ表示されるように切り替えられる。この切り替えは、画面全体が１度に切り替えられても、あるいは、画面が左方向に流れるように移動して切り替えられてもよい（ステップ４０９、４１０）。
【００２８】
（５）ステップ４１０で表示された患者リスト表示エリアＢ、患者情報及びオーダ情報表示エリアＣの表示画面内の「検索画面へ」のボタンが検査技師等により選択されると、ステップ４１０の処理でのスライド処理と逆のスライド処理が行われ、再び、検索条件表示エリアＡ、患者リスト表示エリアＢの２つの画面が表示装置２０５の表示面の左右に表示された状態となり、ステップ４０４からの処理に移行する（ステップ４１１、４１２）。
【００２９】
（６）ステップ４１０の処理で画面の切り替えが行われたとき、ステップ４０９の処理で選択した患者の情報が表示された前後のリストの表示幅が、患者リスト表示エリアＢの中で拡大されて表示それ、また、右側に表示される患者情報及びオーダ情報表示エリアＣに、選択された患者に対する検査の情報が表示される（ステップ４１３、４１４）。
【００３０】
（７）その後、検査技師等は、患者情報及びオーダ情報表示エリアＣ内の「呼び込み」のボタン操作した後、患者の呼び込みを行う。この患者の呼び込みは、「呼び込み」のボタンの操作により、待合室や検査室前の廊下に設置される患者待合表示装置に入室メッセージを表示してもよいし、操作者が直接患者に声を掛けてもよいし、別の手段により行うようにしてもよい（ステップ４１５）。
【００３１】
（８）ステップ４１５での患者「呼び込み」のボタンが操作されたことにより、表示画面の横方向へのスライド処理が行われ、表示装置２０５の表示面に表示される画面が、左側に患者情報及びオーダ情報表示エリアＣ、右側に検査実施情報表示エリアＤがそれぞれ表示されるように切り替えられる。この切り替えは、ステップ４１０での処理と同様に行われる（ステップ４１６、４１７）。
【００３２】
（９）検査技師等は、次に、患者に対する検査を実施し、検査実施情報表示エリアＤに検査実施情報を入力し、検査の終了を入力する。この検査終了は、２種類の異なるボタンの操作により行われるので、どちらのボタンが操作されたかを判定する（ステップ４１８〜４２０）。
【００３３】
（10）ステップ４２０の判定で、「検査終了リストへ」のボタンが操作されていた場合、検査一覧検索処理を行った後、画面のスライド処理を行って、表示装置２０５の表示面に表示されていた画面の患者情報及びオーダ情報表示エリアＣ、検査実施情報表示エリアＤを右方向にシフトする等により、左側に患者リスト表示エリアＢ、右側に患者情報及びオーダ情報表示エリアＣが表示されるようにする（ステップ４２１、４２２）。
【００３４】
（11）その後、患者リスト表示エリアＢに、検索結果としての患者リストが表示されるので、検査技師等は、患者リスト表示エリアＢから１人の患者を選択する。その後、検査技師等は、ステップ４１３からの処理に移行して、検査業務を続ける（ステップ４２３、４２４）。
【００３５】
（12）ステップ４２０の判定で、「検査終了次患者へ」のボタンが操作されていた場合、次に検査すべき患者の検索を実施し、患者情報及びオーダ情報表示エリアＣ、検査実施情報表示エリアＤの表示をそのままとして、それぞれの内容を縦方向にスライドさせて、検索により得られた次の患者の情報を表示する。なお、次に検査すべき患者の決定方法は、予め設定された処理条件（受付時間順、予約時間順、緊急検査優先等の単一またはこれらの条件の組み合わせ）に従う。その後、検査技師等は、ステップ４１７からの処理に移行して、検査業務を続ける（ステップ４２５、４２６）。
【００３６】
前述した処理において、ステップ４１３での患者リスト表示エリアＢのリスト幅の拡大表示の処理は、ステップ４０９での患者リスト選択が行われた直後に行うようにすることができる。
【００３７】
次に、前述で説明したフローでの処理により検査情報システムクライアント１３の表示装置２０５に表示されるメインメニュー画面、検索条件表示エリアＡ、患者リスト表示エリアＢ、患者情報及びオーダ情報表示エリアＣ、検査実施情報表示エリアＤの各表示画面の例について詳細に説明する。
【００３８】
図５は検査情報システムクライアント１３が立ち上げられたときに表示されるメインメニュー画面の例を示す図である。
【００３９】
メインメニュー画面は、図５に示すように、複数の検査の１つを選択するための検査毎の複数の選択ボタンが配置されて表示された領域５０１と、その他の病院業務を選択するための業務毎の複数の選択ボタンが配置されて表示された領域５０２とにより構成されている。このメインメニュー画面は、図４のフローのステップ４０１で表示されるものである。ここで、検査技師は、領域５０１内の検査毎の複数の選択ボタンの１つを選択して検査の業務を開始する。なお、領域５０２に表示されるボタン類は、本発明とは直接関係しないため説明を省略する。
【００４０】
領域５０１には、検査毎のボタンとして、「ＣＲ」、「ＣＴ」、「ＭＲ」、「透視」、「超音波」、「ＲＩ」、「血管造影」、「内視鏡」の各検査ボタンを、病院で行われる代表的な検査であるとして示しているが、その他の検査についても、同様なボタンを設けることができる。
【００４１】
図６、図７は図５に示すメインメニュー画面から検査ボタンの１つが検査技師等により選択されたとき表示装置２０５に表示される画面の例を示す図である。
【００４２】
図６、図７に示す画面の例は、すでに説明したように、検索条件表示エリアＡ、患者リスト表示エリアＢの２つの画面を表示装置２０５の表示面の左右に表示している例である。そして、検索条件表示エリアＡは、患者リスト選択のための予め設定した条件の１つを選択するプリセット名称を付した複数の選択ボタンからなる選択ボタン群６０１と、どのような進行状況、例えば、「未受け付け」、検査の「未実施」、「実施済み」にある患者を選択するかを選択する複数のボタンからなる選択ボタン群６０２とを有するプリセット検索の表示領域６０３、及び、患者リスト選択のための条件を作成してプリセット条件として登録したり、検査業務を行うために、検査の都度、患者リスト選択のための条件を作成して患者リストを検索する条件検索の表示領域６０４により構成される。
【００４３】
条件検索の表示領域６０４には、例えば、どのような診療科に係っている患者を選択するか、入院患者あるいは外来患者を対象とするか等を選択して入力することができるボタン６０５、６０６等があり、検査技師は、これらのボタンを操作して、患者リスト選択のための条件を作成することができ、条件作成の後、「条件検索」のボタン６０７を操作すれば、作成した条件に従って、検査情報システムサーバ１２から条件に合った患者を検索して、患者リストをクライアント１３に取り込んでくることができ、また、条件作成の後、プリセットボタン６０８を操作すれば、選択ボタン群６０１の中の１つのボタンにその条件がプリセット条件として設定される。
【００４４】
選択ボタン群６０１、６０２の中の１つのボタンが操作されると、ボタン群６０１の選択した１つに設定されているプリセット条件と、ボタン群６０２の１つあるいは複数で指定された条件とが、検査情報システムサーバ１２に送られ、サーバ１２内のデータベースから条件に合った患者が検索されて、条件に合った患者の患者リストが送信されてきて、患者リスト表示エリアＢに表示される。前述において、ボタン群６０１から選択可能なボタンは１つのみであり、このことを明確にするために、選択箇所を円形にしており、また、ボタン群６０２から選択可能なボタンは複数であってよく、このことを明確にするために、選択箇所を４角形にしている。
【００４５】
患者リスト表示エリアＢには、検索条件検索エリアＡのプリセット検索の表示領域６０３の選択ボタン群６０１の中の１つのボタンと、進行状況を選択する選択ボタン群６０２の「未実施」のボタンとが選択されたものとして、検査情報システムサーバ１２から得られた患者リストの例を示している。各患者の表示行には、マーク、状態、受付状況・進行状況、予定あるいは受付の時刻、呼出し番号、患者名、検査（撮影）プロトコルの情報が表示される。受付状況・進行状況の欄は、検索条件検索エリアＡにおけるプリセット検索の表示領域６０３の「未実施」のボタンだけが選択されたとしているので、全て未実施となっている。なお、これらの情報は、本発明の実施形態において重要なものではないので、詳細な説明については省略する。
【００４６】
この患者リスト表示エリアＢには、できるだけ多くの患者を同時に表示すること、例えば、その日のうちに検査すべき患者の全てを表示することが望ましく、その結果、患者を示す行が狭いものとなり、表示装置２０５がタッチパネルを備えて構成されていて、患者の選択に指先を使用する場合に、１行だけにタッチする操作が困難になる場合がある。このため、本発明の実施形態では、最初の指のタッチで、タッチされた行を含む周辺の行、例えば、その上下、その下の行の数行の行幅を拡大して表示することができるようにしている。図６に示す例では、患者リストの最上行６０９からの３行が拡大表示されており、図７に示す例では、患者リストの中間行７０１からの３行が拡大表示されている。これにより、検査技師等は、間違いなく確実に患者の選択を行うことができる。なお、図７には符号を付していないが、図６の場合と同様である。
【００４７】
図８は検査技師等により患者の選択が行われた後に表示装置２０５に表示される画面の例を示す図である。ここに示す表示画面は、図６、図７に示す「患者情報」のボタン７０２の操作によっても表示することができる。
【００４８】
図８に示す画面の例は、すでに説明したように、患者リスト表示エリアＢ、患者情報及びオーダ情報表示エリアＣの２つの画面を表示装置２０５の表示面の左右に表示している例である。この図８に示す表示画面の例における左側の患者リスト表示エリアＢは、図６、図７で説明したものと同様なものであり、ここでの説明を省略する。右側の患者情報及びオーダ情報表示エリアＣは、上方に設けられる患者情報表示部８０１と、下方に設けられるオーダ情報表示部８０２とからなる。患者情報表示部８０１には、患者の氏名と、その患者に関する各種の情報が表示される。この患者情報表示部８０１には、タブの選択により、その患者に対する医師等のコメントも表示することができる。
【００４９】
オーダ情報表示部８０２には、依頼医師名、検査部位等を含む検査のオーダ情報が表示され、検査技師は、このオーダ情報に従って、その患者に対する検査を実施することになる。また、このオーダ情報表示部８０２には、タブの選択により、その患者に対して当日行われる他の検査に関する情報、その患者の履歴・予約の状況に関する情報も表示することができる。これらの表示を確認した上で、検査技師が「患者呼び込み」のボタン８０３を操作すれば、図４に示すフローにより説明したように患者の呼び込みが行われる。
【００５０】
図９は検査技師等により患者の呼び込みが行われた後に表示装置２０５に表示される画面の例を示す図である。ここに示す表示画面は、図８に示す「患者情報」のボタン８０４の操作によっても表示することができる。
【００５１】
図９に示す画面の例は、すでに説明したように、患者情報及びオーダ情報表示エリアＣ、検査実施情報表示エリアＤの２つの画面を表示装置２０５の表示面の左右に表示している例である。この図９に示す表示画面の例における左側の患者情報及びオーダ情報表示エリアＣは、図８で説明したものと同様なものであり、ここでの説明を省略する。右側の検査実施情報表示エリアＤは、実施中の検査の状況を示す検査中状況表示部９０１と、実施すべき検査のリストを示す検査リスト表示部９０２とにより構成される。検査技師は、検査リスト表示部９０２内に指示されている検査を患者に対して実施していく。実施するとして選択された検査には、図９に太線の枠により示すように、すぐに判るように他とは異なる色等により表示され、また、その実施中の検査の状況（検査条件等）が検査中状況表示部９０１に表示される。検査リスト表示部９０２に表示されている検査で、すでに実施した検査に対しては、検査済みのチェックが入れられる。このようなチェックを入れることにより、検査技師が行うべき検査の一部を行わずに、その患者に対する検査業務を終了してしまうようなことを防止することができる。
【００５２】
また、検査実施情報表示エリアＤには、タブを選択することにより、医事・会計に報告する内容を入力する画面、検査にかかわった検査技師、看護師等の情報を入力する画面を表示させることができる。これらの画面の例については後述する。
【００５３】
図１０は図９に示す画面で検査技師が患者情報及びオーダ情報表示エリアＣの「履歴・予約」のタブを選択した場合に表示装置２０５に表示される画面の例を示す図である。
【００５４】
検査技師は、行うべき検査によっては、その患者のこれまでの検査履歴の情報、予約をしている他の検査の情報を参照したい場合がある。この場合に、検査技師は、「履歴・予約」のタブを選択してそれらの情報をサーバから取り込んで表示させて参照することができる。図１０に示す例では、予約が行われているが未実施の検査を表示しているが、過去に実施した検査等も表示させることができる。
【００５５】
図１１は図９に示す画面で検査技師が検査実施情報表示エリアＤの「医事・会計」のタブを選択した場合に表示装置２０５に表示される画面の例を示す図である。
【００５６】
検査技師等は、図１１に示す画面で医事・会計に報告する患者に対する検査内容、検査に使用した機材、薬剤、それらの数量等の内容を入力する。ここで入力された内容は、検査情報システムサーバ１２を介して、オーダリングシステム１１に転送され、保険組合、患者に対する料金請求のために利用される。
【００５７】
図１１に示す画面から医事・会計に報告する内容の入力が済むと１人の患者の検査が終了したことになる。ここで検査技師が次の患者の検査をする場合、「検査終了  次患者へ」のボタン１１０１を操作する。このボタン１１０１の操作により、図１１に示している画面が縦方向にスクロールされ、あるいは、切り替えられて、次の患者に対する図９に示して説明したと同様な患者情報及びオーダ情報表示エリアＣ、検査実施情報表示エリアＤの２つの画面を表示装置２０５の表示面の左右に表示され、検査技師は、次の患者の検査を行うことが可能になる。検査技師は、多数の患者の検査を行う場合、この画面の縦方向の移動だけで、次々と新たな患者の検査を行うための情報を得ることができるため、効率的に検査業務を実施することができる。なお、次の患者とは、患者リスト表示エリアＢに表示されているリストの中の検査未実施の最上行にある患者、あるいは、緊急に割込み検査が必要な患者である。
【００５８】
また、１人の患者の検査が終了したとき、検査技師は、「検査終了  次患者へ」のボタン１１０１ではなく、「検査終了  リストへ」のボタン１１０２を操作することもできる。この場合、表示装置２０５の表示画面は、横方向にスクロールされ、あるいは、切り替えられて、図８により説明した患者リスト表示エリアＢ、患者情報及びオーダ情報表示エリアＣの２つの画面を表示装置２０５の表示面の左右に表示している画面に戻ることになり、検査技師は、この画面から検査を行うべき患者を選択して業務を続けることになる。
【００５９】
図１２は図９に示す画面で検査技師が検査実施情報表示エリアＤの「実施者」のタブを選択した場合に表示装置２０５に表示される画面の例を示す図である。
【００６０】
この図１２に示す画面には、その患者の検査を行った担当技師、担当医師、担当看護師の氏名が入力される。氏名の入力は、選択して入力することができる。また、この画面からは、医師、看護師等がその患者に関するコメントを入力することができる。
【００６１】
前述した本発明の実施形態は、検索条件表示エリアＡ、患者リスト表示エリアＢ、患者情報及びオーダ情報表示エリアＣ、検査実施情報表示エリアＤの４つの画面を左側から順に横方向に並べて、２つずつの表示エリアを１つの画面に横方向にシフトしながら表示するとして説明したが、本発明は、これらの表示エリアを縦方向に上から順に並べて、２つずつの表示エリアを１つの画面に縱方向にシフトしながら表示するようにしてもよい。
【００６２】
前述した本発明の実施形態での処理は、プログラムにより構成し、検査情報システムクライアントが備えるＣＰＵに実行させることができ、また、それらのプログラムは、ＦＤ、ＣＤ−ＲＯＭ、ＤＶＤ等の記録媒体に格納して提供することができ、また、ネットワークを介してディジタル情報により提供することができる。
【００６３】
前述した本発明の実施形態は、病院内で行われる検査業務の管理を行うものとして説明したが、本発明は、患者に対する処置、診察、読影等の業務にも適用することができる。この場合、検査実施情報表示エリアＤの内容を、これらの各業務に対応して変更を加えたものとすればよい。
【図面の簡単な説明】
【００６４】
【図１】本発明の一実施形態による検査管理システムの構成を示すブロック図である。
【図２】検査情報システムクライアントのハードウェア構成の例を示すブロック図である。
【図３】検査情報システムクライアントの表示装置に表示される画面の遷移状況の本発明の実施形態での基本的な考え方について説明する図である。
【図４】検査技師の画面操作による画面遷移の動作を説明するフローチャートである。
【図５】検査情報システムクライアントが立ち上げられたときに表示されるメインメニュー画面の例を示す図である。
【図６】図５に示すメインメニュー画面から検査ボタンの１つが検査技師等により選択されたとき表示装置に表示される画面の例（その１）を示す図である。
【図７】図５に示すメインメニュー画面から検査ボタンの１つが検査技師等により選択されたとき表示装置に表示される画面の例（その２）を示す図である。
【図８】検査技師等により患者の選択が行われた後に表示装置に表示される画面の例を示す図である。
【図９】検査技師等により患者の呼び込みが行われた後に表示装置に表示される画面の例を示す図である。
【図１０】図９に示す画面で検査技師が患者情報及びオーダ情報表示エリアＣの「履歴・予約」のタブを選択した場合に表示装置に表示される画面の例を示す図である。
【図１１】図９に示す画面で検査技師が検査実施情報表示エリアＤの「医事・会計」のタブを選択した場合に表示装置に表示される画面の例を示す図である。
【図１２】図９に示す画面で検査技師が検査実施情報表示エリアＤの「実施者」のタブを選択した場合に表示装置に表示される画面の例を示す図である。
【符号の説明】
【００６５】
１１  オーダリングシステム
１２  検査情報システムサーバ
１３  検査情報システムクライアント
１４  検査装置
１５  ネットワーク
２０１  ＣＰＵ
２０２  主メモリ
２０３  磁気ディスク装置
２０４  表示メモリ
２０５  表示装置
２０６  マウス
２０７  コントローラ
２０８  キーボード
２０９  スピーカ
２１０  通信制御部
２１１  共通バス
【図２】
0004755509.tif 000002
【図３】
0004755509.tif 000003
【図４】
0004755509.tif 000004
【図１】
0004755509.tif 000005
【図５】
0004755509.tif 000006
【図６】
0004755509.tif 000007
【図７】
0004755509.tif 000008
【図８】
0004755509.tif 000009
【図９】
0004755509.tif 000010
【図１０】
0004755509.tif 000011
【図１１】
0004755509.tif 000012
【図１２】
0004755509.tif 000013